(57)【要約】【課題】本発明は、構造を簡易にし、部品点数を減らすことにより、折りたたみ可能でありながらも、従来のものに比べて、経済性、生産性が高い折りたたみ眼鏡ケースを提供する。【解決手段】本体部１と２つの側面部２と折り返し部３から全体を構成する。本体部１には、全体が矩形シート状に形成され、折曲すると多角筒状体となるように、幅方向と平行に２本の折り線１１及び折り線１２が設けられる。側面部２は、本体部１の開口端部に側面を形成するものであり、その一辺を本体部１に固着し、側面部２の本体部１に固着された辺と隣り合う辺のうち一つの辺のみから支持片４を延設し、本体部１に固着する。【選択図】図２
2010110384.tif 000002
【特許請求の範囲】
【請求項１】
複数の折り線によって全体が複数の領域に分割されており、前記折り線に沿って全体が折曲されることにより、多角筒状体を形成する矩形薄板状の本体形成部と、
前記多角筒状体の断面形状と同形状の輪郭の薄板状に形成され、前記複数の領域のうち一つの領域の一対の側端部に、それぞれ、その一辺が固着されており、起立することにより、前記多角筒状体の開口端部に側面を形成する一対の側面形成部と、
前記側面形成部から延設され、端部が前記本体形成部に固着されており、前記本体形成部を折曲した際に、前記側面形成部を起立させた状態で支持する支持片とを有しており、
前記支持片は、薄板状であって、前記側面形成部の前記本体形成部に固着された辺に隣り合う辺のうち一つの辺から延設され、前記端部は前記側面形成部が固着された領域に隣り合う領域に固着されており、前記延設部分と前記固着部分はいずれも回動自在となっている、
折りたたみ眼鏡ケース。
【請求項２】
前記支持片は、前記延設部分の辺と前記固着部分の辺の角度が、１８０度から前記側面形成部の前記本体形成部に固着された辺と前記延設部分の辺とが形成する角度を引いた値の半分の大きさとなるように形成され、
前記固着部分の辺と前記側面形成部が固着された前記側端部の辺とが、前記延設部分の辺と前記固着部分の辺との角度と同じ角度をなすように、本体形成部に固着されており、
前記側面形成部が固着された領域と前記支持片が設けられた領域との折曲の度合いに応じて起立する、
請求項１記載の折りたたみ眼鏡ケース。
【請求項３】
前記本体形成部の全体を折曲して多角筒状体を形成した際に、相互に突き合う一対の側端部のうち一方に、折り返し部が、折り返し線を介して、延設されており、
前記折り返し部は、他方の側端部と重なり合い、重なり合う部分には、前記折り返し部を前記側端部に離脱自在に固定するための固定部が設けられている、
請求項２記載の折りたたみ眼鏡ケース。
【請求項４】
前記本体形成部は、折り線が２本設けられ、全体が折曲されることにより、三角筒状体を形成するものであり、
前記側面形成部は、三角形状の輪郭の薄板状に形成されている、
請求項３記載の折りたたみ眼鏡ケース。
【発明の詳細な説明】
【技術分野】
【０００１】
本発明は、折りたたみ式の眼鏡ケースに関するものである。
【背景技術】
【０００２】
眼鏡ケースは、収納する眼鏡を保護するために、頑丈であると同時に、使用しないときには、できるだけ嵩張らないようなものであることが望ましい。不使用時に嵩張らない眼鏡ケースとして、折りたたみ式となっているものが存在している（例えば、特許文献１参照）。
【特許文献１】実用新案登録第３１３９８５８号公報
【発明の開示】
【発明が解決しようとする課題】
【０００３】
しかしながら、上記のような眼鏡ケースにあっては、不使用時にコンパクトに折りたたむことができるという利点があるものの、折りたたみ可能とするために、通常の眼鏡ケースに比べて、構造がやや複雑で、部品点数が増えてしまい、結果的に、経済性、生産性があまり高くなかった。
【０００４】
そこで、本発明は、構造を簡易にし、部品点数を減らすことにより、折りたたみ可能でありながらも、従来のものに比べて、経済性、生産性の高い折りたたみ眼鏡ケースを提供することを目的とする。
【課題を解決するための手段】
【０００５】
本発明の折りたたみ眼鏡ケースは、複数の折り線によって全体が複数の領域に分割されており、前記折り線に沿って全体が折曲されることにより、多角筒状体を形成する矩形薄板状の本体形成部と、前記多角筒状体の断面形状と同形状の輪郭の薄板状に形成され、前記複数の領域のうち一つの領域の一対の側端部に、それぞれ、その一辺が固着されており、起立することにより、前記多角筒状体の開口端部に側面を形成する一対の側面形成部と、前記側面形成部から延設され、端部が前記本体形成部に固着されており、前記本体形成部を折曲した際に、前記側面形成部を起立させた状態で支持する支持片とを有しており、前記支持片は、薄板状であって、前記側面形成部の前記本体形成部に固着された辺に隣り合う辺のうち一つの辺から延設され、前記端部は前記側面形成部が固着された領域に隣り合う領域に固着されており、前記延設部分と前記固着部分はいずれも回動自在となっている。このように、支持片を、各側面形成部の一辺から延設し、一対のみ存在するものとしたことから、折りたたみ可能でありながら、構造が簡易で、部品点数が少なく、経済性、生産性を向上させることができる。
【０００６】
ある実施の態様では、前記支持片は、例えば、前記延設部分の辺と前記固着部分の辺の角度が、１８０度から前記側面形成部の前記本体形成部に固着された辺と前記延設部分の辺とが形成する角度を引いた値の半分の大きさとなるように形成され、前記固着部分の辺と前記側面形成部が固着された前記側端部の辺とが、前記延設部分の辺と前記固着部分の辺との角度と同じ角度をなすように、本体形成部に固着されており、前記側面形成部が固着された領域と前記支持片が設けられた領域との折曲の度合いに応じて起立するものとしてもよい。その場合には、展開時には、側面形成部が、本体形成部と面一となる一方、本体形成部が折曲される際には、折曲の度合いに応じて、側面形成部を、起立させ、最終的に、本体形成部によって形成される筒状体の開口面と垂直に、当該開口面を閉じるような状態で支持することが可能となる。
【０００７】
また、ある実施の態様では、前記本体形成部の全体を折曲して多角筒状体を形成した際に、相互に突き合う一対の側端部のうち一方に、折り返し部が、折り返し線を介して、延設されており、前記折り返し部は、他方の側端部と重なり合い、重なり合う部分には、前記折り返し部を前記側端部に離脱自在に固定するための固定部が設けられている。このような構成とした場合には、眼鏡を収納したあとに不用意にケースが開くことを防止することができる。
【０００８】
また、さらに、ある実施の態様では、前記本体形成部は、折り線が２本設けられ、全体が折曲されることにより、三角筒状体を形成するものであり、前記側面形成部は、三角形状の輪郭の薄板状に形成されているものとしてもよい。このような、三角筒状体の折りたたみ眼鏡ケースは、前記支持片を、一対のみとしたことによりはじめて実現可能となったものである。そして、このような形状の眼鏡ケースにあっては、本体形成部の折り線部分の数や部品点数が少なくて済むため、経済性、生産性をさらに向上させることができる。
【発明の効果】
【０００９】
本発明によると、折りたたみ眼鏡ケースの構造を簡易にし、部品点数を減らすことにより、経済性、生産性を高めることができる。
【発明を実施するための最良の形態】
【００１０】
[第１実施形態]
図１乃至図４を参照して、本発明の第１実施形態について説明する。図１は第１実施形態の折りたたみ眼鏡ケースの斜視図である。図２は第１実施形態の折りたたみ眼鏡ケースの展開斜視図である。図３及び図４は、第１実施形態の折りたたみ眼鏡ケースの本体部の一部を折曲した状態の斜視図である。
【００１１】
第１実施形態の折りたたみ眼鏡ケースは、本体部１と、本体部１の開口端部に側面を形成するための２つの側面部２と、折り返し部３とから全体が構成される。図２の展開斜視図のように、本体部１は、全体が矩形シート状に形成されており、幅方向と平行に２本の折り線１１及び折り線１２が設けられている。本体部１の一方の幅方向側端部には、折り返し線３１を介して、折り返し部３が延設されている。側面部２は、それぞれ、三角形状に形成され、その一辺は、本体部１の長さ方向側端部に固着されている。
【００１２】
側面部２の本体部１に固着された辺と隣り合う辺の一つからは三角形状の支持片４が延設されている。このように、支持片４を各側面部２の一辺に延設し、一対のみ設ければよい構造としているため、側面部２の輪郭形状は、例えば、本体部に固着されていない辺が２つだけとなってしまう三角形状とすることも可能となり、その結果、多角筒状のうちでも最も簡易な構造の三角筒状の眼鏡ケースを実現することができる。
【００１３】
支持片４は、側面部２との境界である辺と本体部１に固着される辺とが角度αとなるように形成され、また、その端部は、展開時に、本体部１の長さ方向側端部と角度αをなすように、本体部１に固着されている。角度αは、１８０度から、側面部２の本体部１に固着された辺と支持片４が設けられた辺がなす角度θを引いた値の半分の大きさの角度である。例えば、角度θが８０度の時は、角度αは５０度であり、角度θが９０度の時は、角度αは、４５度である。このような角度αで支持片４の一角を形成し、本体部１に固着することによって、展開時には、側面部４が本体部１と面一となる。一方、本体部１が折曲される際には、折曲の度合いに応じて、側面部２を起立させ、最終的には、本体部１によって形成される筒状体の開口面と垂直に、当該開口面を閉じるような状態で支持することが可能となる。
【００１４】
本体部１、側面部２及び折り返し部３は、紙製、合皮製若しくは植毛布製の２枚の表面シートを、硬質紙製若しくは合成樹脂製の板材を挟んで、貼り合わせることにより形成される。その際、折り線１１、折り線１２及び折り返し線３１を折り曲げ可能とするために、折り線１１、折り線１２及び折り返し線３１の部分には隙間を空けて板材を配置する。
【００１５】
また、眼鏡を収納した後にケースが不用意に開くことのないように、折り返し部３を固定するために、本体部１と折り返し部３の重なり合う箇所には、磁石５ａ及び磁石５ｂが埋設してある。このような固定手段としては、離脱自在に固定できるものであればよく、磁石のほか、マジックテープ（登録商標）などを用いることもできる。
【００１６】
第１実施形態の折りたたみ眼鏡ケースを使用する場合には、図３及び図４のように、まず、本体部１のうち、支持片４が固着されている領域と、側面部２が固着されている領域とを、折り線１１に沿って折曲することによって、それらの領域と、起立した側面部２とによって眼鏡を収納するための断面Ｖ字状の器体を形成する。この器体に眼鏡を収納した後、折り線１２にそって、本体部１のうち、残りの領域を折曲することにより、器体に蓋をする。さらに、折り返し線３１に沿って折り返し部３を折り返した後、磁石５ａと磁石５ｂによって折り返し部３を固定する。
【００１７】
一方、不使用時には、図２のように、全体を展開した後、例えば、本体部１のほぼ中央に位置する折り線１２で、２つ折りにすることにより、嵩張らないようにすることができる。
【００１８】
この第１実施形態の折りたたみ眼鏡ケースによれば、支持片４を側面部２の一辺にのみ設けるため、側面部２の輪郭形状は、例えば、辺の数が少ない三角形状とすることが可能となり、その結果、多角筒状のうちでも最も簡易な構造の三角筒状の眼鏡ケースを実現することができる。そして、構造が簡易となったことで、部品点数も少なくてすみ、従来型のものに比べて、生産性がよく、経済性の面でも優れているという効果が得られる。
【００１９】
[第２実施形態]
次に、図５乃至図８を参照して、本発明の折りたたみ眼鏡ケースの第２実施形態について説明する。図５は第２実施形態の折りたたみ眼鏡ケースの斜視図である。図６は第２実施形態の折りたたみ眼鏡ケースの展開斜視図である。図７及び図８は、第２実施形態の折りたたみ眼鏡ケースの本体部の一部を折曲した状態の斜視図である。
【００２０】
第２実施形態の折りたたみ眼鏡ケースは、本体部１０と２つの側面部２０と折り返し部３０から全体が構成される。本体部１０は、矩形シート状に形成されており、幅方向と平行に３本の折り線１１０、折り線１２０、折り線１３０が設けられている。側面部２０は、正方形状であり、その一辺は、本体部１０の長さ方向側端部に固着されている。
【００２１】
側面部２０の本体部１０に固着された辺と隣り合う辺の一つからは三角形状の支持片４０が延設されている。支持片４０の側端部側の角は角度βの大きさで、支持片４０の端部は、展開時に本体部１０の長さ方向側端部と角度βをなすように、本体部１０に固着されている。
【００２２】
角度βは、１８０度から、側面部２の本体部１に固着された辺と支持片４が設けられた辺がなす角度θを引いた値の半分の大きさの角度である。第２実施形態では、角度θは９０度であるので、角度βは４５度である。このような角度βで支持片４０を本体部１０に固着することによって、展開時には、側面部４０が本体部１０と面一となり、本体部１０が折曲される際には、折曲の度合いに応じて、側面部２０を起立させ、最終的に、本体部１０によって形成される筒状体の開口面と垂直に、当該開口面を閉じるような状態で支持することが可能となる。
【００２３】
第２実施形態の折りたたみ眼鏡ケースを使用する場合には、図７及び図８のように、まず、本体部１０のうち、側面部２０が固着されている領域と、その両隣の領域とを、それぞれ、折り線１１０及び折り線１２０に沿って折曲することによって、それらの領域と起立した側面部２０とによって眼鏡を収納するための断面倒コ字状の器体を形成する。この器体に眼鏡を収納した後、折り線１３０にそって、本体部１０のうち、残りの領域を折曲することにより、器体に蓋をする。さらに、折り返し線３１０に沿って折り返し部３０を折り返した後、磁石５ａと磁石５ｂによって折り返し部３０を固定する。
【００２４】
この第２実施形態の折りたたみ眼鏡ケースによれば、本体部１０を断面形状が正方形である筒状に形成したことから、第１実施形態の効果に加えて、全周方向からの圧力に比較的強く、頑丈であるといった効果が得られる。
【図面の簡単な説明】
【００２５】
【図１】第１実施形態の折りたたみ眼鏡ケースの斜視図である。
【図２】第１実施形態の折りたたみ眼鏡ケースの展開斜視図である。
【図３】第１実施形態の折りたたみ眼鏡ケースの一部を折曲した状態を示す斜視図である。
【図４】第１実施形態の折りたたみ眼鏡ケースの一部を折曲した状態を示す斜視図である。
【図５】第２実施形態の折りたたみ眼鏡ケースの斜視図である。
【図６】第２実施形態の折りたたみ眼鏡ケースの展開斜視図である。
【図７】第２実施形態の折りたたみ眼鏡ケースの一部を折曲した状態を示す斜視図である。
【図８】第２実施形態の折りたたみ眼鏡ケースの一部を折曲した状態を示す斜視図である。
【符号の説明】
【００２６】
１、１０  本体部
１１、１２、１１０、１２０、１３０  折り線
２、２０  側面部
３、３０  折り返し部
３１、３１０  折り返し線
４、４０  支持片
５ａ、５ｂ  磁石
【図１】
2010110384.tif 000003
【図２】
2010110384.tif 000004
【図３】
2010110384.tif 000005
【図４】
2010110384.tif 000006
【図５】
2010110384.tif 000007
【図６】
2010110384.tif 000008
【図７】
2010110384.tif 000009
【図８】
2010110384.tif 000010
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
二本の直線状の折り線によって全体が三つの矩形状の領域に分割されており、前記折り線に沿って全体が折曲されることにより、三角筒状体を形成する矩形薄板状の本体形成部と、
三角形状の輪郭の薄板状に形成され、前記領域のうち中央の領域の一対の側端部に、それぞれ、その一辺が固着されており、起立することにより、前記三角筒状体の開口端部に側面を形成する一対の側面形成部と、
前記側面形成部から延設され、端部が前記本体形成部に固着され、前記本体形成部を折曲した際に、前記側面形成部を起立させた状態で支持する一対の支持片とを有しており、
前記支持片は、各側面形成部に一つだけ設けられるものであり、三角形状の輪郭の薄板状であって、前記側面形成部の前記本体形成部に固着された辺に隣り合う辺のうち一つの辺のみから延設され、前記端部は前記側面形成部が固着された領域に隣り合う領域に固着されており、前記延設部分と前記固着部分はいずれも回動自在となっており、前記延設部分の辺と前記固着部分の辺の角度が、１８０度から前記側面形成部の前記本体形成部に固着された辺と前記延設部分の辺とが形成する角度を引いた値の半分の大きさとなるように形成され、前記固着部分の辺と前記側面形成部が固着された前記側端部の辺とが、前記延設部分の辺と前記固着部分の辺との角度と同じ角度をなすように、本体形成部に固着されており、前記側面形成部が固着された領域と前記支持片が設けられた領域との折曲の度合いに応じて起立する、
折りたたみ眼鏡ケース。
【請求項２】
前記本体形成部の全体を折曲して三角筒状体を形成した際に、相互に突き合う一対の側端部のうち一方に、折り返し部が、折り返し線を介して、延設されており、
前記折り返し部は、他方の側端部と重なり合い、重なり合う部分には、前記折り返し部を前記側端部に離脱自在に固定するための固定部が設けられている、
請求項１記載の折りたたみ眼鏡ケース。
【手続補正２】
【補正対象書類名】明細書
【補正対象項目名】０００５
【補正方法】変更
【補正の内容】
【０００５】
本発明の折りたたみ眼鏡ケースは、二本の直線状の折り線によって全体が三つの矩形状の領域に分割されており、前記折り線に沿って全体が折曲されることにより、三角筒状体を形成する矩形薄板状の本体形成部と、三角形状の輪郭の薄板状に形成され、前記領域のうち中央の領域の一対の側端部に、それぞれ、その一辺が固着されており、起立することにより、前記三角筒状体の開口端部に側面を形成する一対の側面形成部と、前記側面形成部から延設され、端部が前記本体形成部に固着され、前記本体形成部を折曲した際に、前記側面形成部を起立させた状態で支持する一対の支持片とを有しており、前記支持片は、各側面形成部に一つだけ設けられるものであり、三角形状の輪郭の薄板状であって、前記側面形成部の前記本体形成部に固着された辺に隣り合う辺のうち一つの辺のみから延設され、前記端部は前記側面形成部が固着された領域に隣り合う領域に固着されており、前記延設部分と前記固着部分はいずれも回動自在となっており、前記延設部分の辺と前記固着部分の辺の角度が、１８０度から前記側面形成部の前記本体形成部に固着された辺と前記延設部分の辺とが形成する角度を引いた値の半分の大きさとなるように形成され、前記固着部分の辺と前記側面形成部が固着された前記側端部の辺とが、前記延設部分の辺と前記固着部分の辺との角度と同じ角度をなすように、本体形成部に固着されており、前記側面形成部が固着された領域と前記支持片が設けられた領域との折曲の度合いに応じて起立する。このように、支持片を、各側面形成部の一辺から延設し、一対のみ存在するものとしたことから、折りたたみ可能でありながら、構造が簡易で、部品点数が少なく、経済性、生産性を向上させることができる。
【手続補正３】
【補正対象書類名】明細書
【補正対象項目名】０００６
【補正方法】変更
【補正の内容】
【０００６】
また、支持片は、前記延設部分の辺と前記固着部分の辺の角度が、１８０度から前記側面形成部の前記本体形成部に固着された辺と前記延設部分の辺とが形成する角度を引いた値の半分の大きさとなるように形成され、前記固着部分の辺と前記側面形成部が固着された前記側端部の辺とが、前記延設部分の辺と前記固着部分の辺との角度と同じ角度をなすように、本体形成部に固着されており、前記側面形成部が固着された領域と前記支持片が設けられた領域との折曲の度合いに応じて起立するものとしていることから、展開時には、側面形成部が、本体形成部と面一となる一方、本体形成部が折曲される際には、折曲の度合いに応じて、側面形成部を、起立させ、最終的に、本体形成部によって形成される筒状体の開口面と垂直に、当該開口面を閉じるような状態で支持することが可能となる。
【手続補正４】
【補正対象書類名】明細書
【補正対象項目名】０００７
【補正方法】変更
【補正の内容】
【０００７】
また、三角筒状体の折りたたみ眼鏡ケースは、前記支持片を、一対のみとしたことによりはじめて実現可能となったものである。そして、このような形状の眼鏡ケースにあっては、本体形成部の折り線部分の数や部品点数が少なくて済むため、経済性、生産性をさらに向上させることができる
【手続補正５】
【補正対象書類名】明細書
【補正対象項目名】０００８
【補正方法】変更
【補正の内容】
【０００８】
ある実施の態様では、前記本体形成部の全体を折曲して多角筒状体を形成した際に、相互に突き合う一対の側端部のうち一方に、折り返し部が、折り返し線を介して、延設されており、前記折り返し部は、他方の側端部と重なり合い、重なり合う部分には、前記折り返し部を前記側端部に離脱自在に固定するための固定部が設けられている。このような構成とした場合には、眼鏡を収納したあとに不用意にケースが開くことを防止することができる。